(57)【特許請求の範囲】
【請求項１】
払拭面を拭うワイパを作動するワイパモータと、停止のモード、間欠のモード、低速のモード、高速のモードの指令信号を発生するワイパスイッチと、前記ワイパモータが予め定められた停止位置にある際にワイパ位置検出信号を発生する位置検出回路と、上記ワイパスイッチから間欠モードの指令信号が発生されている際にスイッチ検出信号を発生するスイッチ検出回路と、抵抗値が変更される可変抵抗と、上記可変抵抗に印加する定電圧を発生する定電圧発生回路と、上記可変抵抗に接続され、上記可変抵抗の変更された抵抗値に基づき電流値を検出するボリューム電流変換回路と、上記ボリューム電流変換回路により検出された最新の電流値を記憶するボリューム読込回路と、上記ボリューム読込回路により記憶された電流値に基づいて間欠休止時間を設定する間欠休止時間算出回路と、上記間欠休止時間算出回路により設定された間欠休止時間を計数する間欠休止時間タイマカウンタ回路と、上記間欠休止時間タイマカウンタ回路の計数が終了した際に、上記ワイパモータを駆動する駆動信号を発生する駆動信号発生回路と、上記位置検出回路からワイパ位置検出信号が供給され、且つ、上記スイッチ検出回路から間欠モードの指令信号が供給され、且つ、上記駆動信号発生回路から駆動信号が供給されていないときに、上記ボリューム読込回路による電流値の記憶を許可し、一方、ワイパ位置検出信号、間欠モードの指令信号のいずれかの信号が供給されていないとき、および、駆動信号が供給されているときのいずれかのときに、上記ボリューム読込回路による電流値の記憶を禁止する禁止手段を備えていることを特徴とするワイパ制御装置。
【請求項２】
払拭面を拭うワイパを作動するワイパモータと、停止、間欠、低速、高速のモードの指令信号を発生するワイパスイッチと、前記ワイパモータが予め定められた停止位置にある際にワイパ位置検出信号を発生する位置検出回路と、上記ワイパスイッチから間欠モードの指令信号が発生されている際にスイッチ検出信号を発生するスイッチ検出回路と、任意に抵抗値が変更される可変抵抗と、上記可変抵抗に接続され、上記可変抵抗の選択された抵抗値に基づき電流値を検出するボリューム電流変換回路と、上記ボリューム電流変換回路により検出された最新の電流値を記憶するボリューム読込回路と、上記ボリューム読込回路により記憶された電流値に基づいて間欠休止時間を設定する間欠休止時間算出回路と、上記間欠休止時間算出回路により設定された間欠休止時間を計数する間欠休止時間タイマカウンタ回路と、上記間欠休止時間タイマカウンタ回路の計数が終了した際に、上記ワイパモータを駆動する駆動信号を発生する駆動信号発生回路と、上記位置検出回路からワイパ位置検出信号が供給され、且つ、上記スイッチ検出回路から間欠モードの指令信号が供給され、且つ、上記駆動信号発生回路から駆動信号が供給されていないときに、上記ボリューム読込回路による電流値の記憶を許可し、一方、ワイパ位置検出信号、間欠モードの指令信号のいずれかの信号が供給されていないとき、上記ボリューム読込回路による電流値の記憶を禁止する禁止手段を備えていることを特徴とするワイパ制御装置。
【発明の詳細な説明】
【０００１】
【産業上の利用分野】
この発明は、払拭面を拭うのに利用されるワイパ装置に関し、特に、間欠休止時間を介して払拭面を間欠的に拭うワイパ制御装置に関する。
【０００２】
【従来の技術】
間欠休止時間を介して払拭面を拭うワイパ装置としては、運転者によってワイパスイッチが間欠に切換えられている際に、ワイパスイッチに設けられた間欠休止時間変更ダイヤルが任意に回された位置において、一端が制御回路に接続され、他端が接地されている可変抵抗の抵抗値が定められ、その抵抗値に基いた電流値を制御回路によって間欠休止時間が設定され、設定された間欠休止時間を介してワイパが作動されるものが知られている。
【０００３】
【発明が解決しようとする課題】
上記したワイパ制御装置では、間欠休止時間を任意に変更するための可変抵抗の一端が制御回路に接続され、他端が接地されているため、可変抵抗の他端は、制御回路およびワイパモータと同一の接地経路を有するものとなっているが、制御回路およびワイパモータと可変抵抗とは車体を介した接地経路を有するため、制御回路およびワイパモータと可変抵抗との間には、車体において、両者間の距離に対応した内部抵抗が存在している。それ故、上述した車体側の内部抵抗により、ワイパモータが作動している際に高負荷の電流が流れているときと、ワイパモータが作動していないときとで可変抵抗の接地レベルに電位差が生じ、ワイパモータが作動しているか、ワイパモータが作動していないかのいずれかにおいて、変更された可変抵抗に基いた電流値が制御回路側で異なる値として検出されることとなるため、可変抵抗において変更された抵抗値を制御回路が正確に検出することがし難くなる可能性を有するという問題点があり、可変抵抗の抵抗値に対応した間欠休止時間を設定するようにすることが課題となっていた。
【０００４】
【発明の目的】
この発明に係わるワイパ制御装置は、ワイパモータの非作動時に、可変抵抗の抵抗値に基いて間欠休止時間を定めることによって、可変抵抗の抵抗値に整合した間欠休止時間を設定することができるワイパ制御装置を提供することを目的としている。
【０００５】
【発明の構成】
【０００６】
【課題を解決するための手段】
この発明の請求項１に係わるワイパ制御装置では、払拭面を拭うワイパを作動するワイパモータと、停止のモード、間欠のモード、低速のモード、高速のモードの指令信号を発生するワイパスイッチと、前記ワイパモータが予め定められた停止位置にある際にワイパ位置検出信号を発生する位置検出回路と、上記ワイパスイッチから間欠モードの指令信号が発生されている際にスイッチ検出信号を発生するスイッチ検出回路と、抵抗値が変更される可変抵抗と、上記可変抵抗に印加する定電圧を発生する定電圧発生回路と、上記可変抵抗に接続され、上記可変抵抗の変更された抵抗値に基づき電流値を検出するボリューム電流変換回路と、上記ボリューム電流変換回路により検出された最新の電流値を記憶するボリューム読込回路と、上記ボリューム読込回路により記憶された電流値に基づいて間欠休止時間を設定する間欠休止時間算出回路と、上記間欠休止時間算出回路により設定された間欠休止時間を計数する間欠休止時間タイマカウンタ回路と、上記間欠休止時間タイマカウンタ回路の計数が終了した際に、上記ワイパモータを駆動する駆動信号を発生する駆動信号発生回路と、上記位置検出回路からワイパ位置検出信号が供給され、且つ、上記スイッチ検出回路から間欠モードの指令信号が供給され、且つ、上記駆動信号発生回路から駆動信号が供給されていないときに、上記ボリューム読込回路による電流値の記憶を許可し、一方、ワイパ位置検出信号、間欠モードの指令信号のいずれかの信号が供給されていないとき、および、駆動信号が供給されているときのいずれかのときに、上記ボリューム読込回路による電流値の記憶を禁止する禁止手段を備えている構成としたことを特徴としている。
【０００７】
この発明の請求項２に係わるワイパ制御装置では、払拭面を拭うワイパを作動するワイパモータと、停止、間欠、低速、高速のモードの指令信号を発生するワイパスイッチと、前記ワイパモータが予め定められた停止位置にある際にワイパ位置検出信号を発生する位置検出回路と、上記ワイパスイッチから間欠モードの指令信号が発生されている際にスイッチ検出信号を発生するスイッチ検出回路と、任意に抵抗値が変更される可変抵抗と、上記可変抵抗に接続され、上記可変抵抗の選択された抵抗値に基づき電流値を検出するボリューム電流変換回路と、上記ボリューム電流変換回路により検出された最新の電流値を記憶するボリューム読込回路と、上記ボリューム読込回路により記憶された電流値に基づいて間欠休止時間を設定する間欠休止時間算出回路と、上記間欠休止時間算出回路により設定された間欠休止時間を計数する間欠休止時間タイマカウンタ回路と、上記間欠休止時間タイマカウンタ回路の計数が終了した際に、上記ワイパモータを駆動する駆動信号を発生する駆動信号発生回路と、上記位置検出回路からワイパ位置検出信号が供給され、且つ、上記スイッチ検出回路から間欠モードの指令信号が供給され、且つ、上記駆動信号発生回路から駆動信号が供給されていないときに、上記ボリューム読込回路による電流値の記憶を許可し、一方、ワイパ位置検出信号、間欠モードの指令信号のいずれかの信号が供給されていないとき、上記ボリューム読込回路による電流値の記憶を禁止する禁止手段を備えている構成としたことを特徴としている。
【０００８】
【発明の作用】
この発明の請求項１に係わるワイパ制御装置において、定電圧発生回路による一定の出力電圧を発生させ、この基準電圧をボリューム電流回路に印加させると共にワイパモータに流れる電流の影響を受けることなく、可変抵抗の変更された抵抗値を正確に検出し、可変抵抗の抵抗値に対応した間欠休止時間を設定する。
【０００９】
この発明の請求項２に係わるワイパ制御装置において、ワイパモータに流れる電流の影響を受けることなく、可変抵抗の変更された抵抗値を正確に検出し、可変抵抗の抵抗値に対応した間欠休止時間を設定する。
【００１０】
【実施例】
図１および図２には、この発明に係わるワイパ制御装置の実施例が示されている。
【００１１】
図示するワイパ制御装置１は、主として、ワイパモータ２、ワイパスイッチ３、可変抵抗ＶＲ１、制御ユニット４から構成されており、制御ユニット４に、電源回路５、位置検出回路６、スイッチ検出回路７、定電圧発生回路８、ボリューム電流変換回路９、ボリューム読込回路１０、間欠休止時間算出回路１１、間欠休止時間タイマカウンタ回路１２、駆動信号発生回路１３、禁止手段である禁止回路１４、初回拭信号発生回路１５、スイッチングトランジスタＴＲ１を有する制御回路４０が備えられている。
【００１２】
ワイパスイッチ３は、停止 (OFF)、間欠（INT)、低速(LOW) 、高速(HI)、洗浄(WA)の各モードに切換えられる。
【００１３】
ワイパスイッチ３は、停止のモードにおいて発生端子Ｌが端子Ｍに接続されて停止指令信号が発生され、間欠のモードにおいて端子Ｉが端子Ｅに接続されるとともに端子Ｌが端子Ｍに接続されて間欠指令信号が発生され、低速のモードにおいて端子Ｅが端子Ｌに接続されて低速指令信号が発生される。また、ワイパスイッチ２は、高速のモードにおいて端子Ｅが端子Ｈに接続されて高速指令信号が発生され、洗浄のモードにおいて端子Ｗが端子Ｅに接続されて洗浄指令信号が発生される。
【００１４】
ワイパスイッチ３は、端子Ｍが制御ユニット４の第１の外部端子４ａに接続されており、端子Ｈがワイパモータ２に備えた高速側下流ブラシ端子２ｃに接続されている。このワイパモータ２に備えた上流ブラシ端子２ａは電源５０に接続されている。
【００１５】
ワイパスイッチ３は、端子Ｌがワイパモータ２に備えた低速側下流ブラシ端子２ｂに接続されており、端子Ｅが車体に接地されており、端子Ｉが制御ユニット４の第２の外部端子４ｂに接続されており、端子Ｗがウオッシャポンプ１６に備えた下流ブラシ端子１６ｂに接続されており、このウオッシャポンプ１６の上流ブラシ端子１６ａは電源５０に接続されている。ウオッシャポンプ１６は上流ブラシ端子１６ａから下流ブラシ端子１６ｂに通電されると、モータシャフト１６ｃが回転するため、図示しないノズルを通して図示しないウオッシャタンクに貯蔵した洗浄液を払拭面に噴射する。
【００１６】
上述したワイパモータ２は、上流ブラシ端子２ａから低速側下流ブラシ端子２ｂに通電されると、モータシャフト２ｄが低速で回転するため、このモータシャフト２ｄに結合された図示しないリンクを介し、払拭面を低速でワイパ作動し、上流ブラシ端子２ａから高速側下流ブラシ端子２ｃに通電されると、モータシャフト２ｄが高速で回転するため、払拭面を高速でワイパ作動する。
【００１７】
また、ワイパモータ２には、モータシャフト２ｄに連動して切換えられるワイパ定位置停止スイッチ２ｅが内蔵されている。このワイパ定位置停止スイッチ２ｅには、不導通領域を有する略円形であって、接地された第１のコンタクトプレート２ｆと、この第１のコンタクトプレート２ｆの不導通領域に第１のコンタクトプレート２ｆから絶縁して配置された第２のコンタクトプレート２ｇと、第１のコンタクトプレート２ｆおよび第２のコンタクトプレート２ｇのいずれかに電気的に接続可能な第１のコンタクタ２ｈと、第２のコンタクトプレート２ｇのみに電気的に接続可能な第２のコンタクタ２ｉが備えられている。
【００１８】
第１のコンタクタ２ｈは制御ユニット４の第３の外部端子４ｃに接続されており、第２のコンタクタ２ｉは電源５０および制御ユニット４の第４の外部端子４ｄに接続されている。
【００１９】
ワイパ定位置停止スイッチ２ｅは、第１、第２のコンタクトプレート２ｆ、２ｇがモータシャフト２ｄとともに回転するため、ワイパが作動中に、ワイパスイッチ３が停止のモードに切換えらた際、ワイパが予め定められた停止位置に来るまでの間、第１のコンタクタ２ｈが第１のコンタクトプレート２ｆに電気的に接続されることによって、第１のコンタクタ２ｈに接続されるワイパモータ２の低速側下流ブラシ端子２ｂに接地経路を形成しつづけ、この状態で、ワイパが予め定められた停止位置に到達したときに、第１のコンタクタ２ｈおよび第２のコンタクタ２ｉが第２のコンタクトプレート２ｇにおいて電気的に接続されることによってワイパモータ２の上流ブラシ端子２ａを短絡し、ワイパモータ２のモータシャフト２ｄを強制的に停止させてワイパを予め定められた停止位置に停止させる機能をもつ。
【００２０】
可変抵抗ＶＲ１は、一端が制御ユニット４の第５の外部端子４ｅに接続されているとともに他端が車体に接地されている。
【００２１】
可変抵抗ＶＲ１は、ワイパスイッチ３に設けられていて、運転者によって任意に回される間欠休止時間変更ダイヤルに連動して抵抗値が変更されるため、変更された抵抗値に対応して制御ユニット４の第５の外部端子４ｅの端子電圧を変動させる。
【００２２】
一方、制御ユニット４には、制御回路４０に加えて、駆動手段であるリレーＲＬ１、位置検出用抵抗Ｒ１、スイッチ検出用抵抗Ｒ２，Ｒ３、ボリューム検出用抵抗Ｒ４、電圧制御用抵抗Ｒ５、電圧制御用コンデンサＣ１が備えられている。
【００２３】
制御ユニット４の第１の外部端子４ａは、リレーＲＬ１の可動接点ＲＬ1-1 に接続されている。リレーＲＬ１は、常開接点ＲＬ1-2 が車体に接地され、常閉接点ＲＬ1-3 が抵抗Ｒ１の一端および抵抗Ｒ２の一端に接続されている。また、リレーＲＬ１は、リレーコイルＲＬ1-4 の一端が抵抗Ｒ５の一端に接続され、リレーコイルＲＬ1-4 の他端が制御回路４０に備えたスイッチングトランジスタＴＲ１のコレクタに接続されている。
【００２４】
そして、抵抗Ｒ１の他端が制御回路４０の位置検出回路６の入力側に接続されており、抵抗Ｒ２の他端が抵抗Ｒ３を介して制御回路４０のスイッチ検出回路７の入力側に接続されている。
【００２５】
制御ユニット４の第２の外部端子４ｂは、抵抗Ｒ２の他端および抵抗Ｒ３の一端に接続されている。
【００２６】
制御ユニット４の第３の外部端子４ｃは、リレーＲＬ１の常閉接点ＲＬ1-3 に接続されている。
【００２７】
制御ユニット４の第４の外部端子４ｄは、抵抗Ｒ５の一端に接続されている。抵抗Ｒ５は他端がコンデンサＣ１の一端および電源回路５の入力側に接続されている。コンデンサＣ１の他端は車体に接地されている。
【００２８】
制御ユニット４の第５の外部端子４ｅは、抵抗Ｒ４を介してボリューム電流変換回路９の入力側に接続されている。
【００２９】
制御ユニット４の第６の外部端子４ｆは車体に接地されている。
【００３０】
制御回路４０の電源回路５は、抵抗Ｒ５およびコンデンサＣ１を介した電源５０の入力電圧を定電圧発生回路８に印加し、定電圧発生回路８において一定の電位の出力電圧を発生させる。定電圧発生回路８より発生した基準電圧は後述するボリューム電流変換回路９に印加される。
【００３１】
制御回路４０の位置検出回路６は、入力が抵抗Ｒ１の他端に接続されているとともに、出力が後述する禁止回路１４の入力側に接続されている。
【００３２】
位置検出回路６は、ワイパ定位置停止スイッチ２ｅの第１のコンタクタ２ｈが接地に接続されている際に出力がハイレベルになり、これに反して、ワイパが予め定められた停止位置に到達したことによって第１のコンタクタ２ｈが接地に接続された際に出力がローレベルになる。位置検出回路６のローレベルの出力はワイパ位置検出信号として後述する禁止回路１４が検出する。
【００３３】
制御回路４０のスイッチ検出回路７は、入力が抵抗Ｒ３に接続されているとともに、出力が後述する禁止回路１４の入力に接続されている。
【００３４】
スイッチ検出回路７は、ワイパスイッチ２が間欠のモードにない際に、抵抗Ｒ３を介して入力がハイレベルになることによって、出力がハイレベルになり、これに反して、ワイパスイッチ２が間欠のモードにある際に、抵抗Ｒ３を介した入力がローレベルになることによって出力がローレベルになる。スイッチ検出回路７のローレベルの出力はスイッチ検出信号として後述する禁止回路１４および初回拭信号発生回路１５が検出する。
【００３５】
上述した定電圧発生回路８から基準電圧が印加された制御回路４０のボリューム電流変換回路９は、抵抗Ｒ４および抵抗値が変更された可変抵抗ＶＲ１に対して基準電圧を印加することによって、抵抗Ｒ４の抵抗値および可変抵抗ＶＲ１の抵抗値により基準電圧に対してドロップした電流値を検出する。ボリューム電流変換回路９は、ドロップした電流値がボリューム読込回路１０に転送される。
【００３６】
制御回路４０のボリューム読込回路１０は、図示しないマイクロコンピュータ等の記憶手段によってボリューム電流変換回路９が検出した電流値を所定のラムエリア内の複数個所に書き込む。この際の記憶は最新のデータのみであって、新たな電流値が書き込まれる毎に、以前に書き込まれていた電流値のデータは消去される。ボリューム読込回路１０が記憶した電流値のデータは間欠休止時間算出回路１１によって検出される。また、ボリューム読込回路１０には、後述する禁止回路１４の出力も入力されているため、ボリューム読込回路１０は、禁止回路１４の出力がハイレベルであると、ボリューム電流変換回路９によって検出された電流値が所定のラムエリア内に書き込まれるが、禁止回路１４の出力がローレベルに切換わると、ボリューム電流変換回路９によって検出された電流値を所定のラムエリア内に書き込むことができない構成になっている。
【００３７】
制御回路４０の間欠休止時間算出回路１１は、ボリューム読込回路１０に書き込まれている電流値のデータを予め定められた定数とにより演算処理して間欠休止時間を算出する。間欠休止時間算出回路１１が算出した間欠休止時間は、間欠休止時間タイマカウンタ回路１２において用いられる。
【００３８】
制御回路４０の間欠休止時間タイマカウンタ回路１２は、予め定められたカウンタを有し、上述した間欠休止時間算出回路１１によって算出された間欠休止時間をカウンタにより計数することによって間欠休止時間が経過したか否かを認識し、間欠休止時間が経過していないとの認識によって後述する駆動信号発生回路１３をオフ状態とし、これに反して、間欠休止時間が経過したとの認識によって駆動信号発生回路１３をオン状態とする機能をもつ。この間欠休止時間タイマカウンタ回路１２は、ワイパが予め定められた回数のワイパ作動を行ったところで、リセットされて初期状態に戻り、間欠休止時間の計数を再び始める。
【００３９】
制御回路４０の駆動信号発生回路１３は、一方の出力がエミッタ接地のスイッチングトランジスタ（ｎｐｎ) ＴＲ１のベースに接続されているとともに、他方の出力が後述する禁止回路１４の入力側に接続されている。前述したように、スイッチングトランジスタＴＲ１のコレクタがリレーコイルＲＬ1-4 の他端に接続されているため、駆動信号発生回路１３は、間欠休止時間タイマカウンタ回路１２により間欠休止時間が経過していないとの認識がされている間は、一方の出力がローレベルになってスイッチングトランジスタＴＲ１にベース電流を供給せずにリレーコイルＲＬ1-4 をオフし、これに反して、間欠休止時間タイマカウンタ回路１２により間欠休止時間が経過したことの認識がされると、一方の出力がハイレベルになってスイッチングトランジスタＴＲ１にベース電流を供給してリレーコイルＲＬ1-4 をオンする。
【００４０】
また、駆動信号発生回路１３には、後述する初回拭信号発生回路１５の出力も入力されており、初回拭信号発生回路１５の出力があると、スイッチングトランジスタＴＲ１に優先的にベース電流を供給してリレーコイルＲＬ1-4 をオンさせる。
【００４１】
そして、駆動信号発生回路１３は、間欠休止時間タイマカウンタ回路１２により間欠休止時間が経過していないとの認識がされている間は、他方の出力がローレベルになり、これに反して、間欠休止時間タイマカウンタ回路１２により間欠休止時間が経過したことの認識がされると、他方の出力がハイレベルになる。
【００４２】
制御回路４０の禁止回路１４は、ノア（ NOR )の論理ゲートによって回路が構成されており、入力に、位置検出回路６の出力、スイッチ検出回路７の出力、駆動信号発生回路１３の出力がそれぞれ接続され、出力がボリューム読込回路１０の入力に接続されている。
【００４３】
禁止回路１４は、ノアの論理ゲートの真理値に対応し、ワイパが予め定められた停止位置に到達したことによって位置検出回路６の出力がローレベルであり、且つ、ワイパスイッチ２が間欠のモードにあることによってスイッチ検出回路７の出力がローレベルであり、且つ、間欠休止時間が経過していないとの認識がされて駆動信号発生回路１３の出力がローレベルであるときに、出力がハイレベルになるため、このハイレベルの出力によって、前述したボリューム読込回路１０においてボリューム電流変換回路９から転送された電流値を所定のラムエリア内に書き込むことを許容する。
【００４４】
また、禁止回路１４は、ワイパが予め定められた停止位置に到達していないか、ワイパスイッチ２が間欠のモードにないか、間欠休止時間が経過したとの認識がされたかのいずれかの状態になることによって、位置検出回路６の出力、スイッチ検出回路７の出力、駆動信号発生回路１３の出力のいずれかがハイレベルになると、出力がローレベルに反転するため、このローレベルの出力によって、ボリューム読込回路１０においてボリューム電流変換回路９から転送された電流値を所定のラムエリア内に書き込むことを禁止する。
【００４５】
制御回路４０の初回拭信号発生回路１５は、入力がスイッチ検出回路７の出力に接続されているとともに、出力が駆動信号発生回路１３の入力に接続されている。
【００４６】
初回拭信号発生回路１５は、スイッチ検出回路７よりのローレベルの出力信号を検出することによって駆動信号発生回路１３から出力を発生させ、スイッチングトランジスタＴＲ１にベース電流を供給して、リレーコイルＲＬ1-4 をオンさせる。初回拭信号発生回路１５は、ワイパスイッチ３が間欠に切換えられたときに、ワイパを初回拭きさせるためだけに作動する。
【００４７】
このような構造をなすワイパ制御装置１は、図１に示されるブロック構成図において、図２に示されるフローチャートに基いて間欠制御動作を行う。
【００４８】
ワイパスイッチ３が間欠のモードにあり、ワイパが定位置に停止している状態で、スイッチ検出回路７よりのローレベルの出力信号を検出することによって、駆動信号発生回路１３がオンし、スイッチングトランジスタＴＲ１がオンするため、リレーＲＬ１のリレーコイルＲＬ1-4 がオンし、リレーＲＬ１の可動接点ＲＬ1-1 が常開接点ＲＬ1-2 に接続されるので、ワイパスイッチ３の端子Ｍが接地され、ワイパモータ２の低速側下流ブラシ端子２ｃが接地され、ワイパモータ２のモータシャフト２ｄが回転を始めてワイパ作動を行う。この間、図２に示されるように、ステップ１０１を繰り返すルーチンが行われる。
【００４９】
ワイパの初回拭きが終了すると、初回拭信号発生回路１５は駆動信号発生回路１３に対して出力しなくなるが、間欠休止時間タイマカウンタ回路１２が可変抵抗ＶＲ１の抵抗値に基いた間欠休止時間を介して駆動信号発生回路１３を間欠的にオン状態とするため、ワイパモータ２は間欠的にオンされ、ワイパ作動が続けられる。
【００５０】
間欠的にワイパ作動が続けられている状態で、ワイパが所定の停止位置において休止している際に、降雨量に対応して乗員により可変抵抗ＶＲ１の抵抗値が変更されると、ボリューム電流変換回路９は、変更された抵抗値に基いた電流値がボリューム読込回路１０によって検出される。このとき、ワイパが所定の停止位置において休止しているので、ワイパが予め定められた停止位置に到達したことによって位置検出回路６の出力がローレベルであり、且つ、ワイパスイッチ２が間欠のモードにあることによってスイッチ検出回路７の出力がローレベルであり、且つ、間欠休止時間が経過していないとの認識がされて駆動信号発生回路１３の出力がローレベルであるため、禁止回路１４の出力がハイレベルになっており、ボリューム読込回路１０がボリューム電流変換回路９よりの新たな電流値を所定のラムエリア内に書き込む。この間、図２に示されるように、ステップ１０１においての判別でワイパモータ２は作動を終了しているので、ステップ１０２に移行し、ステップ１０２においてボリューム抵抗の読込が行われてステップ１０３に移行し、ステップ１０３において間欠休止時間の算出が行われてステップ１０４に移行し、間欠休止時間が終了するまでの間は、ステップ１０４を繰り返すルーチンが行われる。
【００５１】
そして、ボリューム読込回路１０が書き込んだ新たな間欠休止時間が間欠休止時間タイマカウンタ回路１２によって計数終了されると、図２に示されるように、ステップ１０５に移行し、駆動信号発生回路１３がオンされてワイパモータ２が作動を始め、予め定められた回数のワイパ作動が終了したと同時に、間欠休止時間タイマカウンタ回路１２によって計数が再び始まり、変更された新たな間欠休止時間で駆動信号発生回路１３をオフ状態としてワイパ作動を休止し、その後に、新たな間欠休止時間が間欠休止時間タイマカウンタ回路１２によって計数終了されると、駆動信号発生回路１３がオンしてワイパモータ２が作動を始め、以後、これを繰り返す。
【００５２】
間欠的にワイパ作動が続けられている状態で、ワイパが作動中であって、所定の停止位置にない際、降雨量に対応して乗員により可変抵抗ＶＲ１の抵抗値が変更されると、ボリューム電流変換回路９は、変更された抵抗値に基いた電流値がボリューム読込回路１０によって検出される。このとき、ワイパが所定の停止位置にないので、位置検出回路６の出力がハイレベルであり、且つ、ワイパスイッチ２が間欠のモードにあることによってスイッチ検出回路７の出力がローレベルであり、且つ、駆動信号発生回路１３の出力がローレベルであるため、禁止回路１４の出力がローレベルになっており、ボリューム読込回路１０がボリューム電流変換回路９よりの新たな電流値を所定のラムエリア内に書き込めない。この間、図２に示されるように、ステップ１０１を繰り返すルーチンが行われる。
【００５３】
ボリューム読込回路１０が既に書き込んである間欠休止時間が間欠休止時間タイマカウンタ回路１２によって計数終了されると、駆動信号発生回路１３がオンされてワイパモータ２が作動を始め、予め定められた回数のワイパ作動が終了したと同時に、間欠休止時間タイマカウンタ回路１２によって計数が再び始まり、既に設定された間欠休止時間で駆動信号発生回路１３をオフ状態としてワイパ作動を休止し、その後に、この間欠休止時間が間欠休止時間タイマカウンタ回路１２によって計数終了されると、駆動信号発生回路１３がオンしてワイパモータ２が作動を始め、以後、これを繰り返す。
【００５４】
ワイパスイッチ３が間欠に切換えられている際にワイパモータ２が作動している間は、禁止回路１４によってワイパモータ２が作動している際に接地レベルに電位差を生じている可変抵抗の抵抗値に基いた間欠休止時間の設定を禁止し、ワイパモータ２が作動していないときの可変抵抗ＶＲ１の抵抗値により検出された電流値に基いて間欠休止時間を定めるものとなる。
【００５５】
ワイパが所定の停止位置にある際に、ワイパスイッチ３が低速に切換えられると、ワイパスイッチ３は、端子Ｌが端子Ｅに接続されて接地され、ワイパモータ２の低速側下流ブラシ端子２ｂが接地され、モータシャフト２ｄが低速で回転を始める。モータシャフト２ｄが低速で回転を始めることによって、図示しないリンクを介し、払拭面を低速で拭うワイパ作動を行う。
【００５６】
ワイパ作動中に、ワイパスイッチ３が停止に切換えられると、ワイパスイッチ３の端子Ｌが端子Ｍに接続されて接地に接続されなくなるが、ワイパが所定の停止位置にないので、ワイパ定位置停止スイッチ２ｅの第１のコンタクタ２ｈが第１のコンタクトプレート２ｆに電気的に接続されている間は、ワイパスイッチ３の端子Ｍが第１の外部端子４ａ、リレーＲＬ１の可動接点ＲＬ1-1 、リレーＲＬ１の常閉接点ＲＬ1-3 、第３の外部端子４ｃを通じて接地されてワイパモータ２の低速側下流ブラシ端子２ｂを接地し続けてワイパモータ２の通電経路を形成し続け、この状態で、ワイパが所定の停止位置に到達すると、ワイパ定位置停止スイッチ２ｅの第１のコンタクタ２ｈが第２のコンタクトプレート２ｇにおいて第１のコンタクタ２ｉとともに電源５０に接続されるため、ワイパモータ２に短絡経路が形成され、ワイパの所定の停止位置でモータシャフト２ｄが停止する。
【００５７】
また、ワイパが所定の停止位置にある際に、ワイパスイッチ３が高速に切換えられると、ワイパスイッチ３は、端子Ｈが端子Ｅに接続されて接地され、ワイパモータ２の高速側下流ブラシ端子２ｃが接地され、モータシャフト２ｄが高速で回転を始める。モータシャフト２ｄが高速で回転を始めることによって、図示しないリンクを介し、払拭面を高速で拭うワイパ作動を行う。
【００５８】
ワイパ作動中に、ワイパスイッチ３が停止に切換えられると、ワイパスイッチ３の端子Ｈが端子Ｅに接続されなくなるが、端子Ｌが端子Ｍに接続され、ワイパが所定の停止位置にないので、ワイパ定位置停止スイッチ２ｅの第１のコンタクタ２ｈが第１のコンタクトプレート２ｆに電気的に接続されている間は、ワイパスイッチ３の端子Ｍが第１の外部端子４ａ、リレーＲＬ１の可動接点ＲＬ1-1 、リレーＲＬ１の常閉接点ＲＬ1-3 、第３の外部端子４ｃを通じて接地されてワイパモータ２の低速側下流ブラシ端子２ｂを接地し続けてワイパモータ２の通電経路を形成し続け、この状態で、ワイパが所定の停止位置に到達すると、ワイパ定位置停止スイッチ２ｅの第１のコンタクタ２ｈが第２のコンタクトプレート２ｇにおいて第１のコンタクタ２ｉとともに電源５０に接続されるため、ワイパモータ２に短絡経路が形成され、ワイパの所定の停止位置でモータシャフト２ｄが停止する。
【００５９】
そして、ワイパスイッチ３が洗浄に切換えられると、ワイパスイッチ３の端子Ｗが端子Ｅに接続されて接地されるため、ウオッシャポンプ１６の下流ブラシ端子１６ｂが接地されて、モータシャフト１６ｃが回転するため、図示しないノズルを通じて図示しないウオッシャタンクに貯蔵した洗浄液を払拭面に噴射する。ウオッシャポンプ１６が作動を開始すると、ここでは図示しないウオッシャ拭信号発生回路がオンされ、このウオッシャ拭信号発生回路が駆動信号発生回路１３をオン状態とするため、洗浄液が噴射された払拭面に対して予め定められた回数だけワイパ作動を行うものとなる。
【００６０】
【発明の効果】
以上説明してきたように、この発明の請求項１に係わるワイパ制御装置によれば、定電圧発生回路による一定の出力電圧を発生させ、この基準電圧をボリューム電流回路に印加させると共にワイパモータに流れる電流の影響を受けることなく、可変抵抗の変更された抵抗値を正確に検出し、可変抵抗の抵抗値に対応した間欠休止時間を設定することができるという優れた効果を奏する。
【００６１】
この発明の請求項２に係わるワイパ制御装置によれば、ワイパモータに流れる電流の影響を受けることなく、可変抵抗の変更された抵抗値を正確に検出し、可変抵抗の抵抗値に対応した間欠休止時間を設定することができるという優れた効果を奏する。
【図面の簡単な説明】
【図１】この発明に係わるワイパ制御装置のブロック構成図である。
【図２】図１に示したワイパ制御装置においての制御動作を説明するフローチャートである。
【符号の説明】
１      ワイパ制御装置
３      ワイパスイッチ
６      位置検出回路
７      スイッチ検出回路
９      ボリューム電流変換回路
１０    ボリューム読込回路
１１    間欠休止時間算出回路
１２    間欠休止時間タイマカウンタ回路
１３    駆動信号発生回路
１４    （禁止手段）禁止回路
４０    制御回路
ＶＲ１  可変抵抗
【図１】
0003625902.tif 000002
【図２】
0003625902.tif 000003